(57)【要約】【課題】基地局と端末が通信する通信システムにおいて、基地局と端末が効率的に受信電力測定を行なうことができる端末、基地局、方法および集積回路を提供する。【解決手段】基地局と通信を行う端末であって、第１の信号に基づく受信電力測定を行なう受信部と、上位層によって、第２の信号の設定に関する情報が設定される場合には、前記第２の信号に基づく受信電力測定を行なう前記受信部と、を有する。 【選択図】図２
2014033287.tif 000002
【特許請求の範囲】
【請求項１】
基地局と通信を行なう端末であって、
第１の信号に基づく受信電力測定を行なう受信部と、
上位層によって、第２の信号の設定に関する情報が設定される場合には、前記第２の信号に基づく受信電力測定を行なう前記受信部と、を有する
ことを特徴とする端末。
【請求項２】
前記受信部は、第１の信号に基づく受信電力測定を行なわないことを特徴とする請求項１記載の端末。
【請求項３】
前記受信部は、上位層によって、第３の信号の設定に関する情報が設定される場合に、前記第３の信号に基づく受信電力測定を行なうことを特徴とする請求項１または請求項２記載の端末。
【請求項４】
前記受信部は、前記第３の信号の設定に関する情報が複数設定される場合、前記複数の第３の信号の設定に関する情報に含まれる種々のパラメータのうち、少なくとも仮想セルＩＤが同じ値に設定されていれば、前記複数の第３の信号に基づいて受信電力測定を行なうことを特徴とする請求項３記載の端末。
【請求項５】
前記第１の信号と前記第２の信号は、１リソースブロックペア内に配置されるリソースエレメントの数が異なることを特徴とする請求項１に記載の端末。
【請求項６】
前記第１の信号と前記第２の信号は、送信周期が異なることを特徴とする請求項１記載の端末。
【請求項７】
前記第２の信号と前記第３の信号は、１リソースブロックペア内に配置されるリソースエレメントの数が異なることを特徴とする請求項３に記載の端末。
【請求項８】
前記受信部は、前記第１の信号と前記第２の信号に対してそれぞれ独立に前記第１の信号の信号系列および前記第２の信号の信号系列の初期化が行なわれていることを特徴とする請求項１記載の端末。
【請求項９】
前記受信部は、前記第１の信号に対しては、物理セルＩＤに基づいて前記第１の信号の信号系列を検出し、前記第２の信号に対しては、仮想セルＩＤに基づいて前記第２の信号の信号系列を検出することを特徴とする請求項１記載の端末。
【請求項１０】
端末と通信を行なう基地局であって、
第１の信号の設定に関する情報として、少なくとも前記第１の信号の測定サブフレームパターンを前記端末へ通知し、
第２の信号の設定に関する情報として、少なくとも前記第２の信号の送信周期および前記第２の信号の測定サブフレームパターンを前記端末へ通知する送信部を有する
ことを特徴とする基地局。
【請求項１１】
前記送信部は、前記第１の信号の信号系列を物理セルＩＤに基づいて生成し、前記第２の信号の信号系列を仮想セルＩＤに基づいて生成し、前記端末へ送信することを特徴とする請求項１０記載の基地局。
【請求項１２】
前記送信部は、前記第１の信号の信号系列を第１の方式で初期化し、前記第２の信号の信号系列を第２の方式で初期化することを特徴とする請求項１０記載の基地局。
【請求項１３】
基地局と通信を行なう端末の方法であって、
第１の信号に基づく受信電力測定を行ない、
上位層によって、第２の信号の設定に関する情報が設定される場合、前記第２の信号に基づく受信電力測定を行なう
ことを特徴とする方法。
【請求項１４】
前記第２の信号の設定に関する情報が設定される場合、前記第１の信号に基づく受信電力測定を行なわないことを特徴とする請求項１３記載の方法。
【請求項１５】
第３の信号の設定に関する情報が複数設定される場合、前記複数の第３の信号の設定に関する情報に含まれる種々のパラメータのうち、少なくとも仮想セルＩＤが同じ値に設定されていれば、前記複数の第３の信号に基づいて受信電力測定を行なうことを特徴とする請求項１４記載の方法。
【請求項１６】
前記第１の信号に対しては、物理セルＩＤに基づいて前記第１の信号の信号系列を検出し、前記第２の信号に対しては、仮想セルＩＤに基づいて前記第２の信号の信号系列を検出することを特徴とする請求項１３記載の方法。
【請求項１７】
端末と通信を行なう基地局の方法であって、
第１の信号の設定に関する情報として、少なくとも前記第１の信号の測定サブフレームパターンを前記端末へ通知し、
第２の信号の設定に関する情報として、少なくとも前記第２の信号の送信周期および前記第２の信号の測定サブフレームパターンを前記端末へ通知する
ことを特徴とする方法。
【請求項１８】
前記第１の信号の信号系列を物理セルＩＤに基づいて生成し、前記第２の信号の信号系列を仮想セルＩＤに基づいて生成し、前記端末へ送信することを特徴とする請求項１７記載の方法。
【請求項１９】
前記第１の信号の信号系列を第１の方式で初期化し、前記第２の信号の信号系列を第２の方式で初期化することを特徴とする請求項１７記載の方法。
【請求項２０】
基地局と通信を行なう端末に搭載される集積回路であって、
第１の信号に基づく受信電力測定を行なう機能と、
上位層によって、第２の信号の設定に関する情報が設定される場合には、前記第２の信号に基づく受信電力測定を行なう機能と、を前記端末に発揮させる
ことを特徴とする集積回路。
【請求項２１】
第１の信号に基づく受信電力測定を行なわない機能を前記端末に発揮させることを特徴とする請求項２０記載の集積回路。
【請求項２２】
前記上位層によって、第３の信号の設定に関する情報が設定される場合に、前記第３の信号に基づく受信電力測定を行なう機能を前記端末に発揮させることを特徴とする請求項２０または請求項２１記載の集積回路。
【請求項２３】
端末と通信を行なう基地局に搭載される集積回路であって、
第１の信号の設定に関する情報として、少なくとも前記第１の信号の測定サブフレームパターンを前記端末へ通知する機能と、
第２の信号の設定に関する情報として、少なくとも前記第２の信号の送信周期および前記第２の信号の測定サブフレームパターンを前記端末へ通知する機能と、を前記基地局に発揮させる
ことを特徴とする集積回路。
【請求項２４】
前記第１の信号の信号系列を物理セルＩＤに基づいて生成し、前記第２の信号の信号系列を仮想セルＩＤに基づいて生成し、前記端末へ送信する機能を前記基地局に発揮させることを特徴とする請求項２３記載の集積回路。
【請求項２５】
前記第１の信号の信号系列を第１の方式で初期化し、前記第２の信号の信号系列を第２の方式で初期化する機能を前記基地局に発揮させることを特徴とする請求項２３記載の集積回路。
【発明の詳細な説明】
【技術分野】
【０００１】
本発明は、端末、基地局、通信方法および集積回路に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局（セル、送信局、送信装置、eNodeB）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。
【０００３】
その通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ通信を実現する。そのような制御情報は、非特許文献１に記載された方法を用いることができる。
【０００４】
その通信システムは、少なくとも、ＴＤＤ（Time Division Duplex）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信を可能にする技術である。
【０００５】
その通信システムは、基地局がカバーするエリアをセル状に複数配置するセルラー通信システムである。また、単一の基地局は複数のセルを管理してもよい。また、単一の基地局は複数のＲＲＨ（Remote Radio Head）を管理しても良い。また、単一の基地局は複数のローカルエリアを管理してもよい。また、単一の基地局は複数のＨｅｔＮｅｔ（Heterogeneous Network）を管理してもよい。
【０００６】
その通信システムにおいて、端末は、少なくとも、セル固有参照信号（CRS: Cell-specific Reference Signal）に基づいて参照信号受信電力（RSRP: Reference Signal Received Power）を測定することができる（非特許文献１）。
【０００７】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel）の導入が検討されている（非特許文献２）。なお、ニューキャリアタイプは、追加キャリアタイプ（ACT: Additional Carrier Type）と呼称される場合もある。
【先行技術文献】
【非特許文献】
【０００８】
【非特許文献１】3rd Generation Partnership Project Technical Specification Group Radio Access Network; Evolved Universal Terrestrial Radio Access (E-UTRA); Physical layer; Measurements (Release 10) 30th Mar 2011, TS36.214 v10.1.0 (2011-03).
【非特許文献２】"Issues Regarding Additional Carrier Type in Rel-11 CA", R1-114071, 3GPP TSG-RAN WG1 Meeting #67, San Francisco, USA, 14th - 18th Nov 2011.
【発明の概要】
【発明が解決しようとする課題】
【０００９】
しかしながら、時間／周波数同期検出用の信号で受信電力を測定することは開示されてない。さらに、特定の信号の受信電力測定が行えなかった場合について端末の測定方法については開示されていない。
【００１０】
本発明は、上記問題を鑑みてなされたものであり、その目的は、基地局と端末が通信する通信システムにおいて、受信電力測定を効率的に行うことが可能となる基地局、端末、通信システムおよび通信方法を提供することを目的とする。
【課題を解決するための手段】
【００１１】
（１）この発明は上述した課題を解決するためになされたもので、本発明の一態様による端末は、基地局と通信を行う端末であって、第１の信号に基づく受信電力測定を行なう受信部と、上位層によって、第２の信号の設定に関する情報が設定される場合には、前記第２の信号に基づく受信電力測定を行なう前記受信部と、を有することを特徴とする。
【００１２】
（２）また、本発明の一態様による端末は、上記の端末であって、前記受信部は、第１の信号に基づく受信電力測定を行なわないことを特徴とする。
【００１３】
（３）また、本発明の一態様による端末は、上記の端末であって、前記受信部は、上位層によって、第３の信号の設定に関する情報が設定される場合に、前記第３の信号に基づく受信電力測定を行なうことを特徴とする。
【００１４】
（４）また、本発明の一態様による端末は、上記の端末であって、前記受信部は、前記第３の信号の設定に関する情報が複数設定される場合、前記複数の第３の信号の設定に関する情報に含まれる種々のパラメータのうち、少なくとも仮想セルＩＤが同じ値に設定されていれば、前記複数の第３の信号に基づいて受信電力測定を行なうことを特徴とする。
【００１５】
（５）また、本発明の一態様による端末は、上記の端末であって、前記第１の信号と前記第２の信号は、１リソースブロックペア内に配置されるリソースエレメントの数が異なることを特徴とする。
【００１６】
（６）また、本発明の一態様による端末は、上記の端末であって、前記第１の信号と前記第２の信号は、送信周期が異なることを特徴とする。
【００１７】
（７）また、本発明の一態様による端末は、上記の端末であって、前記第２の信号と前記第３の信号は、１リソースブロックペア内に配置されるリソースエレメントの数が異なることを特徴とする。
【００１８】
（８）また、本発明の一態様による端末は、上記の端末であって、前記受信部は、前記第１の信号と前記第２の信号に対してそれぞれ独立に前記第１の信号の信号系列および前記第２の信号の信号系列の初期化が行なわれていることを特徴とする。
【００１９】
（９）また、本発明の一態様による端末は、上記の端末であって、前記受信部は、前記第１の信号に対しては、物理セルＩＤに基づいて前記第１の信号の信号系列を検出し、前記第２の信号に対しては、仮想セルＩＤに基づいて前記第２の信号の信号系列を検出することを特徴とする。
【００２０】
（１０）また、本発明の一態様による基地局は、端末と通信を行なう基地局であって、第１の信号の設定に関する情報として、少なくとも前記第１の信号の測定サブフレームパターンを前記端末へ通知し、第２の信号の設定に関する情報として、少なくとも前記第２の信号の送信周期および前記第２の信号の測定サブフレームパターンを前記端末へ通知する送信部を有することを特徴とする。
【００２１】
（１１）また、本発明の一態様による基地局は、上記の基地局であって、前記送信部は、前記第１の信号の信号系列を物理セルＩＤに基づいて生成し、前記第２の信号の信号系列を仮想セルＩＤに基づいて生成し、前記端末へ送信することを特徴とする。
【００２２】
（１２）また、本発明の一態様による基地局は、上記の基地局であって、前記送信部は、前記第１の信号の信号系列を第１の方式で初期化し、前記第２の信号の信号系列を第２の方式で初期化することを特徴とする。
【００２３】
（１３）また、本発明の一態様による方法は、基地局と通信を行なう端末の方法であって、第１の信号に基づく受信電力測定を行ない、上位層によって、第２の信号の設定に関する情報が設定される場合、前記第２の信号に基づく受信電力測定を行なうことを特徴とする。
【００２４】
（１４）また、本発明の一態様による方法は、上記の方法であって、前記第２の信号の設定に関する情報が設定される場合、前記第１の信号に基づく受信電力測定を行なわないことを特徴とする。
【００２５】
（１５）また、本発明の一態様による方法は、上記の方法であって、第３の信号の設定に関する情報が複数設定される場合、前記複数の第３の信号の設定に関する情報に含まれる種々のパラメータのうち、少なくとも仮想セルＩＤが同じ値に設定されていれば、前記複数の第３の信号に基づいて受信電力測定を行なうことを特徴とする。
【００２６】
（１６）また、本発明の一態様による方法は、上記の方法であって、前記第１の信号に対しては、物理セルＩＤに基づいて前記第１の信号の信号系列を検出し、前記第２の信号に対しては、仮想セルＩＤに基づいて前記第２の信号の信号系列を検出することを特徴とする。
【００２７】
（１７）また、本発明の一態様による方法は、端末と通信を行なう基地局の方法であって、第１の信号の設定に関する情報として、少なくとも前記第１の信号の測定サブフレームパターンを前記端末へ通知し、第２の信号の設定に関する情報として、少なくとも前記第２の信号の送信周期および前記第２の信号の測定サブフレームパターンを前記端末へ通知することを特徴とする。
【００２８】
（１８）また、本発明の一態様による方法は、上記の方法であって、前記第１の信号の信号系列を物理セルＩＤに基づいて生成し、前記第２の信号の信号系列を仮想セルＩＤに基づいて生成し、前記端末へ送信することを特徴とする。
【００２９】
（１９）また、本発明の一態様による方法は、前記第１の信号の信号系列を第１の方式で初期化し、前記第２の信号の信号系列を第２の方式で初期化することを特徴とする。
【００３０】
（２０）また、本発明の一態様による集積回路は、基地局と通信を行なう端末に搭載される集積回路であって、第１の信号に基づく受信電力測定を行なう機能と、上位層によって、第２の信号の設定に関する情報が設定される場合には、前記第２の信号に基づく受信電力測定を行なう機能と、を前記端末に発揮させることを特徴とする。
【００３１】
（２１）また、本発明の一態様による集積回路は、上記の集積回路であって、第１の信号に基づく受信電力測定を行なわない機能を前記端末に発揮させることを特徴とする。
【００３２】
（２２）また、本発明の一態様による集積回路は、上記の集積回路であって、前記受信部は、上位層によって、第３の信号の設定に関する情報が設定される場合に、前記第３の信号に基づく受信電力測定を行なう機能を前記端末に発揮させることを特徴とする。
【００３３】
（２３）また、本発明の一態様による集積回路は、端末と通信を行なう基地局に搭載される集積回路であって、第１の信号の設定に関する情報として、少なくとも前記第１の信号の測定サブフレームパターンを前記端末へ通知する機能と、第２の信号の設定に関する情報として、少なくとも前記第２の信号の送信周期および前記第２の信号の測定サブフレームパターンを前記端末へ通知する機能と、を前記基地局に発揮させることを特徴とする。
【００３４】
（２４）また、本発明の一態様による集積回路は、上記の集積回路であって、前記第１の信号の信号系列を物理セルＩＤに基づいて生成し、前記第２の信号の信号系列を仮想セルＩＤに基づいて生成し、前記端末へ送信する機能を前記基地局に発揮させることを特徴とする。
【００３５】
（２５）また、本発明の一態様による集積回路は、上記の集積回路であって、前記第１の信号の信号系列を第１の方式で初期化し、前記第２の信号の信号系列を第２の方式で初期化する機能を前記基地局に発揮させることを特徴とする。
【００３６】
このことにより、効率的に受信電力測定に行うことができる。
【発明の効果】
【００３７】
この発明によれば、基地局と端末が通信する通信システムにおいて、受信電力測定を効率的に行うことができる。
【図面の簡単な説明】
【００３８】
【図１】本発明の第１の実施形態に係る基地局１の構成を示す概略ブロック図である。
【図２】本発明の第１の実施形態に係る端末２の構成を示す概略ブロック図である。
【図３】本発明の各実施形態に係る端末２の受信電力測定手順を示す概略ブロック図である。
【図４】本発明の第３の実施形態に係る端末２の受信電力測定サブフレームを示す概略ブロック図である。
【発明を実施するための形態】
【００３９】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａにおいて、今後追加、または、その構造やフォーマット形式が変更または追加される可能性があるが、そのような場合でも本発明の各実施形態の説明に影響しない。
【００４０】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット、７シンボル）で構成される領域で定義される。
【００４１】
同期信号（Synchronization Signal）は、３種類のプライマリー同期信号（PSS: Primary Synchronization Signal）と、周波数領域で互い違いに配置される３１種類の符号から構成されるセカンダリー同期信号（SSS: Secondary Synchronization Signal）とで構成され、プライマリー同期信号とセカンダリー同期信号との組み合わせによって、基地局を識別する５０４通りのセル識別子（PCI: Physical layer Cell Identity, Physical Cell Identity, Physical Cell Identifier）と無線同期のためのフレームタイミングが示される。端末は、セルサーチによって受信した同期信号のセル識別子を特定する。
【００４２】
物理報知情報チャネル（PBCH: Physical Broadcast Channel）は、セル内の端末で共通に用いられる制御パラメータ（報知情報やシステム情報）を通知する目的で送信される。ＰＢＣＨで通知されない報知情報は、ＰＤＣＣＨで無線リソースが通知され、ＰＤＳＣＨによってレイヤー３メッセージ（システムインフォメーション）で送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報などが通知される。
【００４３】
下りリンク参照信号は、その用途によって複数のタイプに分類される。例えば、セル固有参照信号（Cell-specific reference signals; CRS）は、セル毎に所定の電力で送信されるパイロット信号であり、所定の規則に基づいて周波数領域および時間領域で周期的に繰り返される下りリンク参照信号である。端末は、セル固有参照信号を受信することでセル毎の受信品質を測定する。また、端末は、セル固有参照信号と同時に送信される物理下りリンク制御チャネル、または物理下りリンク共用チャネルの復調のための参照信号としても下りリンクセル固有参照信号を使用する。セル固有参照信号に使用される系列は、セル毎に識別可能な系列が用いられる。この系列は、擬似ランダム系列で生成されてもよい。また、この系列は、Ｚａｄｏｆｆ−Ｃｈｕ系列で生成されてもよい。
【００４４】
また、下りリンク参照信号は下りリンクの伝搬路変動の推定にも用いられる。伝搬路変動の推定に用いられる下りリンク参照信号のことをチャネル状態情報参照信号（Channel State Information Reference Signals; CSI-RS）あるいはＣＳＩ参照信号と呼称してもよい。また、端末毎に個別に設定される下りリンク参照信号は、ＵＥ  ｓｐｅｃｉｆｉｃ  Ｒｅｆｅｒｅｎｃｅ  Ｓｉｇｎａｌｓ（ＵＥＲＳ）またはＤｅｄｉｃａｔｅｄ  ＲＳ、下りリンク復調参照信号（DL DMRS: Downlink Demodulation Reference Signal）と称され、物理下りリンク制御チャネル、または物理下りリンク共用チャネルの復調に用いられる。
【００４５】
物理下りリンク共用チャネル（Physical Downlink Shared Channel; PDSCH）は、下りリンクデータのほか、ページングや物理報知情報チャネルで通知されない報知情報（システムインフォメーション）をレイヤー３メッセージとして端末に通知するためにも使用される。物理下りリンク共用チャネルの無線リソース割り当て情報は、物理下りリンク制御チャネルで示される。
【００４６】
物理下りリンク制御チャネル（Physical Downlink Control Channel; PDCCH）は、各サブフレームの先頭からいくつかのＯＦＤＭシンボルで送信され、端末に対して基地局のスケジューリングに従ったリソース割り当て情報や、送信電力の増減の調整量を指示する目的で使用される。端末は、下りリンクデータや下りリンク制御データであるレイヤー３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメントとも呼称される）と呼ばれるリソース割り当て情報を物理下りリンク制御チャネルから取得する必要がある。なお、物理下りリンク制御チャネルは、上述したＯＤＦＭシンボルで送信される以外に、基地局から端末に対して個別（ｄｅｄｉｃａｔｅｄ）に割り当てられるリソースブロックの領域で送信されるように構成することも可能である。この基地局から端末に対して個別（ｄｅｄｉｃａｔｅｄ）に割り当てられるリソースブロックの領域で送信される物理下りリンク制御チャネルをエンハンスト物理下りリンク制御チャネル（ePDCCH: enhanced PDCCH）と呼称される場合もある。また、上述したＯＦＤＭシンボルで送信されるＰＤＣＣＨを第１の制御チャネルと呼称される場合もある。また、ｅＰＤＣＣＨを第２の制御チャネルと呼称される場合もある。
【００４７】
物理上りリンク共用チャネル（Physical Uplink Shared Channel; PUSCH）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤー３メッセージとして基地局に通知するためにも使用される。また、下りリンクの場合と同様に物理上りリンク共用チャネルのリソース割り当て情報は、物理下りリンク制御チャネルで示される。
【００４８】
物理上りリンク制御チャネル（Physical Uplink Control Channel; PUCCH）は、物理下りリンク共用チャネルで送信されたデータの受信確認応答（Acknowledgement/Negative Acknowledgement; ACK/NACK）や下りリンクの伝搬路情報（チャネル状態情報）の通知、上りリンクのリソース割り当て要求（無線リソース要求）であるスケジューリングリクエスト（Scheduling Request; SR）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各Ｉｎｄｉｃａｔｏｒは、Ｉｎｄｉｃａｔｉｏｎと表記される場合もあるが、その用途と意味は同じである。
【００４９】
上りリンク参照信号（Uplink Reference Signal）は、基地局が、物理上りリンク制御チャネルＰＵＣＣＨおよび／または物理上りリンク共用チャネルＰＵＳＣＨを復調するために使用する復調参照信号（Demodulation Reference Signal; DMRS）と、基地局が、主に、上りリンクのチャネル状態を推定するために使用するサウンディング参照信号（Sounding Reference Signal; SRS）が含まれる。また、サウンディング参照信号には、周期的サウンディング参照信号（P-SRS: Periodic SRS）と非周期的サウンディング参照信号（A-SRS: Aperiodic SRS）とがある。上りリンク参照信号は、上りリンクパイロット信号、上りリンクパイロットチャネルと呼称する場合もある。また、周期的サウンディング参照信号をピリオディックサウンディング参照信号、トリガータイプ０サウンディング参照信号と呼称される場合もある。また、非周期的サウンディング参照信号をアピリオディックサウンディング参照信号、トリガータイプ１サウンディング参照信号と呼称される場合もある。さらに、非周期的サウンディング参照信号は、協調通信において、上りリンクのチャネル推定用に特化した信号と、下りリンクのチャネル状態（ＣＱＩ、ＰＭＩ、ＲＩ）を補償するために使用される信号とに分けることができる。
【００５０】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末の基地局へのアクセス手段として用いられる。端末は、物理上りリンク制御チャネル未設定時の無線リソース要求や、上りリンク送信タイミングを基地局の受信タイミングウィンドウに合わせるために必要な送信タイミング調整情報（タイミングアドバンス（Timing Advance; TA）とも呼ばれる）を基地局に要求するために物理ランダムアクセスチャネルを用いる。
【００５１】
具体的には、端末は、基地局より設定された物理ランダムアクセスチャネル用の無線リソースを用いてプリアンブル系列を送信する。送信タイミング調整情報を受信した端末は、報知情報によって共通的に設定される（またはレイヤー３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末と基地局のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。また、ＲＲＣシグナリングは、上位層シグナリング（higher layer signaling）や専用シグナリング（Dedicated signaling）と呼称される場合もある。
【００５２】
（第１の実施形態）
以下、本発明の第１の実施形態について説明する。第１の実施形態における通信システムは、基地局（以下、基地局装置、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、マクロセル、第１のセル、プライマリーセルとも呼称される）を備える。さらに、第１の実施形態における通信システムは、セカンダリー基地局（ＲＲＨ（Remote Radio Head）、リモートアンテナ、張り出しアンテナ、分散アンテナ、参照点、低電力ノード（LPN: Low Power Node）、マイクロ基地局、ピコ基地局、フェムト基地局、スモール基地局、ローカルエリア基地局、ファントム基地局、Ｈｏｍｅ  ｅＮｏｄｅＢ、第２の基地局装置、第２の通信装置、協調基地局群、協調基地局セット、協調基地局、マイクロセル、ピコセル、フェムトセル、スモールセル、ファントムセル、ローカルエリア、第２のセル、セカンダリーセルとも呼称される）を備えてもよい。また、第１の実施形態における通信システムは、端末（以下、移動局、移動局装置、端末装置、移動端末、受信装置、受信点、受信端末、第３の通信装置、受信アンテナ群、受信アンテナポート群、ユーザ装置（ＵＥ；Ｕｓｅｒ  Ｅｑｕｉｐｍｅｎｔ）とも呼称される）を備える。ここで、セカンダリー基地局は、複数のセカンダリー基地局として示されてもよい。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信が行われる。
【００５３】
下りリンク送信においては、基地局は、送信点（TP: Transmission Point）と呼称される場合もある。また、上りリンク送信においては、基地局は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【００５４】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。
【００５５】
図１は、本発明の基地局１の構成を示す概略ブロック図である。図示するように、基地局１は、上位層処理部１０１、制御部１０３、受信部１０５、送信部１０７、チャネル測定部１０９、および、送受信アンテナ１１１、を含んで構成される。また、上位層処理部１０１は、無線リソース制御部１０１１、測定設定部１０１３と送信電力設定部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部１０７９を含んで構成される。
【００５６】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【００５７】
上位層処理部１０１が備える無線リソース制御部１０１１は、下りリンクの各チャネルに配置する情報を生成、又は上位ノードから取得し、送信部１０７に出力する。また、無線リソース制御部１０１１は、上りリンクの無線リソースの中から、端末２が上りリンクのデータ情報である物理上りリンク共用チャネル（PUSCH: Physical Uplink Shared Channel）を配置する無線リソースを割り当てる。また、無線リソース制御部１０１１は、下りリンクの無線リソースの中から、下りリンクのデータ情報である物理下りリンク共用チャネル（PDSCH: Physical Downlink Shared Channel）を配置する無線リソースを決定する。無線リソース制御部１０１１は、当該無線リソースの割り当てを示す下りリンク制御情報を生成し、送信部１０７を介して端末２に送信する。無線リソース制御部１０１１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、無線リソース制御部１０１１は、ある端末またはあるセルに対して各種下りリンク信号の設定に関する情報および各種上りリンク信号の設定に関する情報を設定する。また、無線リソース制御部１０１１は、ある端末またはあるセルに対して、第１の信号の設定に関する情報、第２の信号の設定に関する情報を設定する。それらの設定に関する情報を生成し、送信部１０７へ出力する。ここで、第ｎの信号の設定に関する情報（ｎは自然数）が設定されてもよい。
【００５８】
上位層処理部１０１が備える測定設定部１０１３は、測定設定に関する情報、測定対象設定に関する情報、報告設定に関する情報、測定報告設定に関する情報、ＣＱＩ報告設定に関する情報を生成し、送信部１０７へ出力する。
【００５９】
上位層処理部１０１は、端末２から物理上りリンク制御チャネル（PUCCH: Physical Uplink Control Channel）で通知された上りリンク制御情報（UCI: Uplink Control Information）、および端末２から通知されたバッファの状況や無線リソース制御部１０１１が設定した端末２各々の各種設定情報に基づき、受信部１０５および送信部１０７の制御を行うために制御情報を生成し、制御部１０３に出力する。なお、ＵＣＩには、Ａｃｋ／Ｎａｃｋ、チャネル品質情報（CQI: Channel Quality Indicator）、スケジューリング要求（SR: Scheduling Request）のうち少なくとも一つが含まれる。
【００６０】
送信電力設定部１０１５は、ＰＲＡＣＨ、ＰＵＣＣＨ、ＰＵＳＣＨ、Ｐ−ＳＲＳ、およびＡ−ＳＲＳの送信電力を設定する。具体的には、送信電力設定部１０１５は、隣接する基地局からの干渉量を示す情報、隣接する基地局から通知された隣接する基地局１に与えている干渉量を示す情報、またチャネル測定部１０９から入力されたチャネルの品質などに応じて、ＰＵＳＣＨなどが所定のチャネル品質を満たすよう、また隣接する基地局への干渉を考慮し、端末２の送信電力を設定し、前記設定を示す情報を、送信部１０７を介して、端末２に送信する。
【００６１】
具体的には、送信電力設定部１０１５は、Ｐ０＿ＰＵＳＣＨ、α、Ｐ−ＳＲＳ用の電力オフセットＰＳＲＳ＿ＯＦＦＳＥＴ（０）（第１のＳＲＳ電力オフセットパラメータ（pSRS-Offset））、Ａ−ＳＲＳ用の電力オフセットＰＳＲＳ＿ＯＦＦＳＥＴ（１）（第２のＳＲＳ電力オフセットパラメータ（pSRS-OffsetAp））を設定し、前記設定を示す情報を含む信号を無線リソース制御信号として生成し、送信部１０７を介して、端末２各々にＰＤＳＣＨで通知する。また、送信電力設定部１０１５は、ＴＰＣコマンドを設定し、ＴＰＣコマンドを指示する情報を生成し、送信部１０７を介して、端末２各々にＰＤＣＣＨで通知する。なお、ここで述べるαとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝送路損失補償係数）である。αは通常０から１の値をとり、０であればパスロスに応じた電力の補償は行わず、１であればパスロスの影響が基地局１において生じないよう端末２の送信電力を増減させることとなる。また、端末２の状態を考慮して、ＳＲＳのＴＰＣコマンドを設定し、そのＴＰＣコマンドを示す情報を生成し、送信部１０７を介して、端末２各々にＰＤＣＣＨで通知する。また、そのＴＰＣコマンドを含むＤＣＩフォーマットを生成し、送信部１０７を介して、端末２各々にＰＤＣＣＨで通知する。
【００６２】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【００６３】
受信部１０５は、制御部１０３から入力された制御信号に従って、送受信アンテナ１１１を介して端末２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行い、周波数領域の信号を抽出し多重分離部１０５５に出力する。
【００６４】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局１が決定して各端末２に通知した無線リソースの割り当て情報に基づいて行われる。また、多重分離部１０５５は、チャネル測定部１０９から入力された伝送路の推定値から、ＰＵＣＣＨとＰＵＳＣＨの伝送路の補償を行なう。また、多重分離部１０５５は、分離したＵＬ  ＤＭＲＳおよびＳＲＳをチャネル測定部１０９に出力する。
【００６５】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局１が端末２各々に下りリンク制御情報で予め通知した変調方式を用いて受信信号の復調を行なう。
【００６６】
復号化部１０５１は、復調したＰＵＣＣＨとＰＵＳＣＨの符号化ビットを、予め定められた符号化方式の、予め定められた、又は基地局１が端末２に上りリンクグラント（UL grant）で予め通知した符号化率で復号を行ない、復号したデータ情報と、上りリンク制御情報を上位層処理部１０１へ出力する。
【００６７】
チャネル測定部１０９は、多重分離部１０５５から入力された上りリンク復調参照信号ＵＬ  ＤＭＲＳとＳＲＳから伝送路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【００６８】
送信部１０７は、制御部１０３から入力された制御信号に従って、下りリンクの参照信号（下りリンク参照信号）を生成し、上位層処理部１０１から入力されたデータ情報、下りリンク制御情報を符号化、および変調し、ＰＤＣＣＨ、ＰＤＳＣＨ、および下りリンク参照信号を多重して、送受信アンテナ１１１を介して端末２に信号を送信する。
【００６９】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局１を識別するためのセル識別子（Ｃｅｌｌ  ＩＤ）などを基に予め定められた規則で求まる、端末２が既知の系列を下りリンク参照信号として生成する。多重部１０７５は、変調した各チャネルと生成した下りリンク参照信号を多重する。
【００７０】
無線送信部１０７７は、多重した変調シンボルを逆高速フーリエ変換（IFFT: Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【００７１】
図２は、本実施形態に係る端末２の構成を示す概略ブロック図である。図示するように、端末２は、上位層処理部２０１、制御部２０３、受信部２０５、送信部２０７、チャネル測定部２０９、および、送受信アンテナ２１１、を含んで構成される。また、上位層処理部２０１は、無線リソース制御部２０１１、測定制御部２０１３と送信電力制御部２０１５を含んで構成される。また、受信部２０５は、復号化部２０５１、復調部２０５３、多重分離部２０５５と無線受信部２０５７を含んで構成される。また、送信部２０７は、符号化部２０７１、変調部２０７３、多重部２０７５と無線送信部２０７７を含んで構成される。
【００７２】
上位層処理部２０１は、ユーザの操作等により生成された上りリンクのデータ情報を、送信部に出力する。また、上位層処理部２０１は、媒体アクセス制御層、パケットデータ統合プロトコル層、無線リンク制御層、無線リソース制御層の処理を行う。
【００７３】
上位層処理部２０１が備える無線リソース制御部２０１１は、自装置の各種設定情報の管理を行なう。また、無線リソース制御部２０１１は、上りリンクの各チャネルに配置する情報を生成し、送信部２０７に出力する。無線リソース制御部２０１１は、基地局１からＰＤＣＣＨで通知された下りリンク制御情報、およびＰＤＳＣＨで通知された無線リソース制御情報で設定された無線リソース制御部２０１１が管理する自装置の各種設定情報に基づき、受信部２０５、および送信部２０７の制御を行うために制御情報を生成し、制御部２０３に出力する。また、無線リソース制御部２０１１は、基地局１から通知された第１の信号の設定に関する情報から第ｎの信号の設定に関する情報に基づいて、各信号の種々のパラメータをセットする。それらのセットした情報を生成し、制御部２０３を介して、送信部２０７に出力する。
【００７４】
上位層処理部２０１が備える無線リソース制御部２０１１は、基地局１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局１が自装置に通知したピリオディックＳＲＳを送信するサブフレームと、周波数帯域と、ピリオディックＳＲＳのＣＡＺＡＣ系列に用いるサイクリックシフトの量とを示す情報、および、基地局１が自装置に通知したアピリオディックＳＲＳを送信する周波数帯域と、アピリオディックＳＲＳのＣＡＺＡＣ系列に用いるサイクリックシフトの量とを示す情報を受信部２０５から取得する。
【００７５】
無線リソース制御部２０１１は、前記情報に従ってＳＲＳ送信の制御を行なう。具体的には、無線リソース制御部２０１１は、前記ピリオディックＳＲＳに関する情報に従ってピリオディックＳＲＳを１回または周期的に送信するよう送信部２０７を制御する。また、無線リソース制御部２０１１は、受信部２０５から入力されたＳＲＳリクエスト（ＳＲＳインディケータ）においてアピリオディックＳＲＳの送信を要求された場合、アピリオディックＳＲＳに関する情報に従ってアピリオディックＳＲＳを予め定められた回数（例えば、１回）だけ送信する。
【００７６】
上位層処理部２０１が備える送信電力制御部２０１５は、ＰＵＣＣＨ、ＰＵＳＣＨ、ピリオディックＳＲＳ、およびアピリオディックＳＲＳの送信電力の設定を示す情報を基に、送信電力の制御を行うよう、制御部２０３に制御情報を出力する。具体的には、送信電力制御部２０１５は、受信部２０５から取得したＰ０＿ＰＵＳＣＨ、α、ピリオディックＳＲＳ用の電力オフセットＰＳＲＳ＿ＯＦＦＳＥＴ（０）（第１のＳＲＳ電力オフセット（pSRS-Offset））、アピリオディックＳＲＳ用の電力オフセットＰＳＲＳ＿ＯＦＦＳＥＴ（１）（第２のＳＲＳ電力オフセット（pSRS-OffsetAp））、およびＴＰＣコマンドを基に、ピリオディックＳＲＳの送信電力とアピリオディックＳＲＳの送信電力各々を制御する。尚、送信電力制御部２０１５は、ＰＳＲＳ＿ＯＦＦＳＥＴに対してピリオディックＳＲＳかアピリオディックＳＲＳかに応じて第１の電力オフセットか第２の電力オフセットかを切り替える。
【００７７】
上位層処理部２０１が備える測定制御部２０１３は、基地局１から通知された測定設定に関する情報、測定対象設定に関する情報、報告設定に関する情報、測定報告設定に関する情報、ＣＱＩ報告設定に関する情報に基づいて、受信電力測定や受信品質測定、チャネル評価等を行なうように受信部２０５、チャネル測定部２０９、送信部２０７に制御部２０３を介して指示を出す。
【００７８】
制御部２０３は、上位層処理部２０１からの制御情報に基づいて、受信部２０５、および送信部２０７の制御を行う制御信号を生成する。制御部２０３は、生成した制御信号を受信部２０５、および送信部２０７に出力して受信部２０５、および送信部２０７の制御を行う。
【００７９】
受信部２０５は、制御部２０３から入力された制御信号に従って、送受信アンテナ２１１を介して基地局１から受信した受信信号を、分離、復調、復号し、復号した情報を上位層処理部２０１に出力する。
【００８０】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【００８１】
多重分離部２０５５は、抽出した信号を物理下りリンク制御チャネル（PDCCH: Physical Downlink Control Channel）、ＰＤＳＣＨ、および下りリンク参照信号（DRS: Downlink Reference Signal）に、それぞれ分離する。尚、この分離は、下りリンク制御情報で通知された無線リソースの割り当て情報などに基づいて行われる。また、多重分離部２０５５は、チャネル測定部２０９から入力された伝送路の推定値から、ＰＤＣＣＨとＰＤＳＣＨの伝送路の補償を行なう。また、多重分離部２０５５は、分離した下りリンク参照信号をチャネル測定部２０９に出力する。
【００８２】
復調部２０５３は、ＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【００８３】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝送路の推定値を算出し、多重分離部２０５５へ出力する。また、チャネル測定部２０９は、測定制御部２０１３から制御部２０３を介して通知された測に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。
【００８４】
送信部２０７は、制御部２０３から入力された制御信号に従って、ＵＬ  ＤＭＲＳおよび／またはＳＲＳを生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局１に送信する。また、送信部２０７は、上位層処理部２０１から測定結果に関する情報が出力された場合、送受信アンテナ２１１を介して基地局１に送信する。また、送信部２０７は、上位層処理部２０１からチャネル評価に関する結果であるチャネル状態情報が出力された場合、そのチャネル状態情報を基地局１へフィードバックする。つまり、上位層処理部２０１は、チャネル測定部から通知された測定結果に基づいてチャネル状態情報（ＣＳＩ）を生成し、制御部２０３を介して基地局１へフィードバックする。
【００８５】
符号化部２０７１は、上位層処理部２０１から入力された上りリンク制御情報、およびデータ情報を、ターボ符号化、畳み込み符号化、ブロック符号化等の符号化を行う。変調部２０７３は、符号化部２０７１から入力された符号化ビットをＢＰＳＫ、ＱＰＳＫ、１６ＱＡＭ、６４ＱＡＭ等の変調方式で変調する。
【００８６】
上りリンク参照信号生成部２０７９は、基地局１を識別するためのセル識別子、ＵＬ  ＤＭＲＳおよびＳＲＳを配置する帯域幅などを基に予め定められた規則で求まる、基地局１が既知のＣＡＺＡＣ系列を生成する。また、上りリンク参照信号生成部２０７９は、制御部２０３から入力された制御信号に従って、生成したＵＬ  ＤＭＲＳおよびＳＲＳのＣＡＺＡＣ系列にサイクリックシフトを与える。
【００８７】
多重部２０７５は、制御部２０３から入力された制御信号に従って、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【００８８】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【００８９】
第１の実施形態では、基地局は、受信電力測定に使用される信号を指示するための情報を端末へ送信する。端末は、基地局から送信された受信電力測定に使用される信号を指示するための情報に基づいて、その信号の受信電力を測定する。つまり、基地局から第１の信号に基づいて受信電力測定を行なうことが指示された場合、端末は第１の信号に基づいて受信電力測定を行なう。また、基地局から第２の信号に基づいて受信電力測定を行なうことが指示された場合、端末は第２の信号に基づいて受信電力測定を行なう。また、基地局から第ｎの信号（ｎは自然数）に基づいて受信電力測定を行なうことが指示された場合、端末は第ｎの信号に基づいて受信電力測定を行なう。ここで、第１の信号および第２の信号はそれぞれ、送信周期、測定周期、リソース割り当て、スクランブリング初期化ＩＤ、アンテナポート数、送信電力制御のうち、少なくとも１つは独立に設定される。例えば、第２の信号の送信周期を、第１の信号の送信周期よりも、長くする（長く設定する）ことが可能であってもよい。第１の信号および第２の信号はそれぞれ、送信周期、測定周期、リソース割り当て、スクランブリング初期化ＩＤ、送信帯域幅、アンテナポート数、送信電力制御のうち、設定されないパラメータがあってもよい。例えば、第１の信号の設定に関する情報は、測定周期に関する情報やアンテナポート数に関する情報がセットされ、第２の信号には、リソース割り当てに関する情報や送信周期に関する情報、アンテナポート数に関する情報、スクランブリング初期化ＩＤに関する情報がセットされてもよい。なお、スクランブリング初期化ＩＤは、仮想セルＩＤや仮想ＩＤと呼称される場合もある。測定周期は、信号を受信し、測定する周期である。また、測定周期は、測定サブフレームパターン（measSubframePattern）と呼称される場合もある。また、測定サブフレームパターンは、ビットマップで示されてもよい。また、測定サブフレームパターンは、周期とサブフレームオフセットで示されてもよい。端末は、周期的に受信電力測定を行なわなくてもよい。つまり、端末は特定の情報に基づいて受信電力測定を行なってもよい。端末は、測定サブフレームパターンで示されたサブフレームにおいて、受信電力測定を行なう。ＴＤＤの場合、測定サブフレームパターンで示されたサブフレームが上りリンクサブフレームである場合、そのサブフレームについては受信電力測定を行なわなくてもよい。端末は、測定サブフレームパターンで示されたサブフレームがフレキシブルサブフレームであり、そのサブフレームが上りリンクサブフレームとして使用する場合には、そのサブフレームで受信電力測定を行なわなくてもよい。また、それを測定結果として反映する必要もない。例えば、第１の信号と第２の信号に対して、送信周期や測定周期が独立に設定されてもよい。また、第２の信号の送信周期は、周期的でなくてもよい。例えば、送信周期はビットマップによって示されてもよい。また、第２の信号の送信は、特定の物理チャネル／物理信号と関連付けられてもよい。また、第２の信号の送信は、下りリンク制御情報によって示されてもよい。また、第２の信号の送信は、特定の情報と関連付けられてもよい。また、第１の信号��第２の信号に対して、リソース割り当てが独立に設定されてもよい。また、第１の信号と第２の信号に対して、スクランブリング初期化ＩＤが独立に設定されてもよい。第１の信号と第２の信号に対して、系列生成方法が独立に設定されてもよい。なお、系列は、信号系列や参照信号系列、チャネル系列と呼称される場合もある。第１の信号と第２の信号はそれぞれ独立な方式で系列を初期化してもよい。つまり、第１の信号と第２の信号とで、独立に系列の初期値を示すパラメータｃｉｎｉｔが定義されてもよい。系列の初期値を示すパラメータは、物理セルＩＤに基づいて設定されてもよい。また、系列の初期値を示すパラメータは、仮想セルＩＤに基づいて設定されてもよい。また、第１の信号のリソース割り当てと第２の信号のリソース割り当てが同じであるが、送信周期は異なってもよい。例えば、第１の信号が毎サブフレームで送信されるのに対して、第２の信号は特定の周期で送信されてもよい。この時の第２の信号の送信周期に関する情報は上位層によって通知され、設定されてもよい。また、第１の信号と第２の信号では、送信帯域幅が異なってもよい。例えば、第１の信号は、常にシステム帯域幅全体にリソースがマッピングされて送信されるが、第２の信号は、特定の送信帯域幅にリソースがマッピングされて送信されてもよい。この時の第２の信号の送信帯域幅に関する情報は、上位層によって通知され、設定されてもよい。また、この際、第１の信号と第２の信号の信号系列は、異なるセルＩＤで初期化されてもよい。例えば、第１の信号の信号系列は、物理セルＩＤまたは仮想セルＩＤに基づいて初期化されてもよい。第２の信号の信号系列は、仮想セルＩＤに基づいて初期化されてもよい。さらに、第３の信号についても同様に取り扱われてもよい。つまり、第１の信号から第３の信号は、独立に種々のパラメータが設定されてもよい。さらに、第ｎの信号（ｎは自然数）についても同様に取り扱われてもよい。つまり、第１の信号から第ｎの信号の設定に関する情報には、独立に種々のパラメータがセットされてもよい。また、第１の信号から第ｎの信号の設定に関する情報にセットされる種々のパラメータは、必ずしも同じパラメータをセットしなくてもよい。つまり、第１の信号の設定に関する情報から第ｎの信号の設定に関する情報にセットされる種々のパラメータは独立に定義されてもよい。これらのパラメータは上位層シグナリング（無線リソース制御シグナリング、専用シグナリング）によって設定されてもよい。また、これらのパラメータはＰＤＣＣＨを使用して設定されても良い。すなわち、これらのパラメータは、上位層シグナリングおよび／またはＰＤＣＣＨを使用して設定されても良い。また、物理セルＩＤは、セル固有に設定されるパラメータであり、仮想セルＩＤは、端末固有に設定されるパラメータである。つまり、物理セルＩＤは、セル内の端末で同じ値を共有しているが、仮想セルＩＤは、端末間で独立に設定される。例えば、端末は、物理セルＩＤを、同期信号を用いて検出してもよい。また、端末は、仮想セルＩＤを、上位層の信号および／またはＰＤＣＣＨを使用して送信される情報に基づいて取得してもよい。
【００９０】
第１の信号から第ｎの信号はそれぞれ独立なアンテナポートで送信されてもよい。第１の信号から第ｎの信号において、複数のアンテナポートが設定された場合、アンテナポート数に応じたアンテナポートが設定されてもよい。
【００９１】
第１の信号から第ｎの信号のうち、複数のアンテナポートが設定される信号において、アンテナポート間でリソースが重複しないように割り当てられてもよい。また、第１の信号から第ｎの信号のうち、複数のアンテナポートが設定される信号において、アンテナポート間で重み付けが異なってもよい。第１の信号から第ｎの信号のうち、複数のアンテナポートが設定される信号において、アンテナポート間でサイクリックシフトが異なるように制御されてもよい。
【００９２】
第１の信号から第ｎの信号の擬似ランダム系列は、物理セルＩＤ（PCI: Physical layer Cell Identity, Physical Cell Identifier）に基づいて生成されてもよい。また、第１の信号から第ｎの信号の擬似ランダム系列（Pseudo-random sequence）は、仮想セルＩＤ（VCID: Virtual Cell Identity）に基づいて生成されてもよい。また、第１の信号から第ｎの信号の擬似ランダム系列は、スクランブリング初期化ＩＤ（Scrambling Initialization Identity）に基づいて生成されてもよい。各信号において、仮想セルＩＤまたはスクランブリング初期化ＩＤが設定されなかった場合（例えば、上位層によって有効な仮想セルＩＤまたはスクランブリング初期化ＩＤが設定されていなかった場合）、物理セルＩＤに基づいて擬似ランダム系列を生成してもよい。第１の信号から第ｎの信号の擬似ランダム系列の生成方法はそれぞれ定義されてもよい。また、第１の信号から第ｎの信号の擬似ランダム系列の初期化は、独立な方式でそれぞれ定義されてもよい。つまり、第１の信号から第ｎの信号の擬似ランダム系列はそれぞれ独立な方式で初期化されてもよい。また、擬似ランダム系列に基づいて基準系列（base sequence）が生成されてもよい。また、擬似ランダム系列に基づいて信号系列が生成されてもよい。また、信号系列は、基準系列に基づいて生成されてもよい。また、擬似ランダム系列は、スクランブリング系列として使用されてもよい。また、信号系列は、Ｚａｄoｆｆ−Ｃｈｕ系列に基づいて生成されてもよい。また、信号系列は、ゴールド系列に基づいて生成されてもよい。端末は、第１の信号や第２の信号にそれぞれ独立な信号系列を割り当てることによって、それぞれの信号の検出精度を向上させることができる。端末は、第１の信号や第２の信号にそれぞれ独立な信号系列を割り当てることによって、自セルから送信された信号か否かを判定することができる。また、第１の信号と第２の信号のリソース割り当てが同じ場合、端末は、各信号の信号系列の違いによって、第１の信号および／または第２の信号を検出することができる。つまり、端末は、信号系列の違いによって、各信号を識別することができる。
【００９３】
また、第１の信号から第ｎの信号それぞれに対するリソース割り当て（Resource allocation, mapping to resource elements, mapping to physical resources）には、周波数シフトが適用されてもよい。また、周波数シフトは、物理セルＩＤに基づいて設定されてもよい。また、周波数シフトは、仮想セルＩＤに基づいて設定されてもよい。
【００９４】
第１の信号から第ｎの信号は、上位層シグナリングによって各信号のリソース割り当てに関する情報が通知されてもよい。リソース割り当てに関する情報は、無線リソースの設定に関する情報と呼称される場合もある。
【００９５】
第１の信号の設定に関する情報から第ｎの設定に関する情報は、上位層シグナリングによって基地局から端末へ通知されてもよい。また、第１の信号の設定に関する情報から第ｎの設定に関する情報のうち、何れかの信号においては、１つの端末に対して複数の設定に関する情報がセットされてもよい。
【００９６】
第１の信号から第ｎの信号は、第１の参照信号から第ｎの参照信号と呼称されてもよい。
【００９７】
また、第１の信号から第ｎの信号のうち、少なくとも１つの信号は、物理報知チャネルの復調に使用されてもよい。
【００９８】
また、第１の信号から第ｎの信号のうち、少なくとも１つの信号は、物理下りリンク制御チャネルの復調に使用されてもよい。
【００９９】
また、第１の信号から第ｎの信号のうち、少なくとも１つの信号は、物理下りリンク共用チャネルの復調に使用されてもよい。
【０１００】
また、第１の信号から第ｎの信号のうち、少なくとも１つの信号は、物理マルチキャストチャネル（PMCH: Physical Multicast Channel）の復調に使用されてもよい。
【０１０１】
また、第１の信号から第ｎの信号のうち、少なくとも１つの信号は、時間／周波数同期検出（Time/frequency Synchronization Detection）に使用されてもよい。
【０１０２】
また、第１の信号から第ｎの信号のうち、少なくとも１つの信号は、チャネル評価（Channel Estimation）に使用されてもよい。つまり、チャネル状態情報（CSI: Channel State Information）をフィードバックするために使用されてもよい。
【０１０３】
また、第１の信号から第ｎの信号のうち、少なくとも１つの信号は、受信品質測定に使用されてもよい。
【０１０４】
また、第１の信号から第ｎの信号のうち、少なくとも１つの信号は、受信電力測定に使用されてもよい。
【０１０５】
また、第１の信号から第ｎの信号のうち、少なくとも１つの信号は、モビリティ管理に使用されてもよい。
【０１０６】
また、第１の信号から第ｎの信号のうち、少なくとも１つの信号は、リソース管理に使用されてもよい。
【０１０７】
また、第１の信号から第ｎの信号のうち、少なくとも１つの信号は、ポジショニング検出に使用されてもよい。
【０１０８】
第１の信号から第ｎの信号は、１物理リソースブロック（PRB: Physical Resource Block）または１ＰＲＢペア内に配置されるリソースエレメントの数が異なってもよい。例えば、１サブフレーム（または、１スロット）内において、第２の信号の送信に使用されるリソースエレメントの数を、第１の信号の送信に使用されるリソースエレメントの数よりも多くする（多く設定する）ことが可能であってもよい。
【０１０９】
さらに、端末は、基地局から第２の信号による受信電力測定が指示された場合、その測定結果に基づいて下りリンクパスロスを算出し、上りリンク送信電力制御に用いてもよい。
【０１１０】
ここで、受信電力測定は、参照信号受信電力（RSRP: Reference Signal Received Power）測定や受信信号電力測定と呼称されるも場合もある。また、受信品質測定は、参照信号受信品質（RSRQ: Reference Signal Received Quality）測定や受信信号品質測定と呼称される場合もある。
【０１１１】
また、第２の信号のリソース割り当て（Resource allocation, mapping to resource elements, mapping to physical resources）は、周波数シフトされてもよい。第２の信号の周波数シフトは、物理セルＩＤに基づいて決定されてもよい。また、第２の信号の周波数シフトは、仮想セルＩＤに基づいて決定されてもよい。
【０１１２】
一例として、基地局から端末に対して、第２の信号の受信電力測定を行なうか否かを指示する情報が通知される。端末は、その指示情報が第２の信号の受信電力測定を行なうことができると指示している場合、第２の信号の受信電力測定を行なう。この時、端末は、パラレルに第１の信号の受信電力測定を行なってもよい。端末は、その指示情報が第２の信号の受信電力測定を行なうことができないと指示している場合、端末は、第１の信号のみの受信電力測定を行なう。さらに、この指示情報には、第２の信号の受信品質測定を行なうか否かを指示する情報が含まれてもよい。また、第３の信号は、この指示情報によらず、受信電力測定を行なってもよい。
【０１１３】
また、別の例として、基地局から端末に対して、第１の信号の受信電力測定を行うか第２の信号の受信電力測定を行うかを指示する情報が通知される。端末は、その指示情報が第１の信号の受信電力測定を行うことを指示している場合、第１の信号の受信電力測定を行なう。端末は、端末は、その指示情報が第２の信号の受信電力測定を行うことを指示している場合、第２の信号の受信電力測定を行なう。つまり、この指示情報は、受信電力測定の切り替えを指示する情報である。また、この指示情報には、受信品質測定を行うか否かを指示する情報が含まれてもよい。また、第３の信号は、この指示情報によらず、受信電力測定を行なってもよい。
【０１１４】
図３に示すように、端末は、条件を識別し、条件に基づいて、受信電力測定を行なう。端末は、条件を識別する（ステップＳ３０１）。端末は、条件Ａの場合（Ｓ３０１：条件Ａ）には、第１の信号に基づいて受信電力測定を行なう（ステップＳ３０２）。また、端末は、条件Ｂの場合（Ｓ３０１：条件Ｂ）には、第２の信号に基づいて受信電力測定を行なう（ステップＳ３０３）。また、条件Ｂの場合、端末は、第１の信号に基づく受信電力測定を行なってもよい。また、条件Ｂの場合、端末は、第ｎの信号に基づく受信電力測定を行なってもよい。
【０１１５】
ここで、図３を用いて説明すると、第１の実施形態においては、条件Ａには、第２の信号に基づく受信電力測定を行なうことが指示されないことが含まれる。また、条件Ｂには、第２の信号に基づく受信電力測定を行なうことが指示されることが含まれる。この時、第３の信号の設定に関する情報が端末に設定されている場合、端末は、条件Ａまたは条件Ｂに因らず、第３の信号に基づく受信電力測定を行なってもよい。
【０１１６】
基地局から通知される指示情報によって、第１の信号の受信電力を測定するか第２の信号の受信電力を測定するかを判定することができる。さらに、基地局が第１の信号を送信しない場合、端末が第１の信号をモニタしないように制御することができるため、その分の消費電力を抑制することができる。
【０１１７】
（第２の実施形態）
次に、本発明の第２の実施形態について説明する。第２の実施形態では、基地局は、第１の信号の設定に関する情報、第２の信号の設定に関する情報のうち、少なくとも１つの信号の設定に関する情報を端末へ送信する。端末は、第１の信号の設定に関する情報、第２の信号の設定に関する情報のうち、少なくとも１つの信号の設定に関する情報を検出した場合に、検出した信号について受信電力測定を行なう。第１の信号、第２の信号はそれぞれ、受信電力測定を行なう条件が異なってもよい。例えば、第１の信号は、設定に関する情報の有無にかかわらず、受信電力を測定してもよい。つまり、端末は、デフォルトで第１の信号の受信電力を測定することができるようにしてもよい。つまり、第１の信号は、システムに一意に決定された信号として定義され、端末は、それに基づいて受信電力測定を行なってもよい。また、第２の信号は、第２の信号の設定に関する情報が端末にセットされた場合にのみ受信電力を測定できるようにしてもよい。また、第２の信号は、複数の第２の信号の設定に関する情報が端末にセットされなければ、受信電力を測定しなくてもよい。つまり、第２の信号は、第２の信号の設定に関する設定情報が１つの場合、第２の信号の受信電力を測定しなくてもよい。また、第２の信号の設定に関する情報が１つだけ端末にセットされた場合、端末は、第２の信号に基づいてチャネル評価を行なってもよい。また、第２の信号は、第２の信号の設定に関する情報が端末にセットされた場合、第１の信号の代わりに受信電力測定を行なってもよい。また、第１の信号の設定に関する情報は、システムで一意に決定されてもよい。第１の信号の設定に関する情報は、報知情報またはシステム情報として通知されてもよい。第１の信号の設定に関する情報は、基地局から端末へ個別に通知されてもよい。また、第２の信号の設定に関する情報は、報知情報またはシステム情報で通知されてもよい。第２の信号の設定に関する情報は、基地局から端末へ個別に通知されてもよい。
【０１１８】
第２の信号の設定に関する情報には、送信帯域幅を指示する情報が含まれてもよい。また、第２の信号の設定に関する情報には、第２の信号の信号系列を生成するための仮想セルＩＤ（スクランブリング初期化ＩＤ）を指示する情報が含まれてもよい。また、第２の信号の設定に関する情報には、送信周期およびサブフレームオフセットを指示する情報が含まれてもよい。また、第２の信号の設定に関する情報には、リソース割り当てを指示する情報が含まれてもよい。また、第２の信号の設定に関する情報には、アンテナポート数を指示する情報が含まれてもよい。また、第２の信号の設定に関する情報には、第２の信号の送信電力を決定するための情報が含まれてもよい。例えば、それは、電力オフセットであってもよい。また、第２の信号の送信電力値であってもよい。また、第２の信号は、仮想セルＩＤに設定された値によって、周波数シフトが決定されてもよい。また、第２の信号は、物理セルＩＤに設定された値によって、周波数シフトが決定してもよい。また、第２の信号のリソース割り当ては、第１の信号のリソース割り当てを回避するように配置されてもよい。すなわち、第１の信号は、第２の信号の送信に対して使用されるリソース（リソースエレメントでもよい）に使用されないリソースに配置されてもよい。また、第２の信号は、第１の信号の送信に対して使用されるリソースに使用されないリソースに配置されてもよい。また、第２の信号のリソース割り当ては、第１の信号のリソース割り当てと重複してもよい。また、第２の信号のリソース割り当ては、復調参照信号のリソース割り当てと重複してもよい。第２の信号のリソース割り当ては、チャネル状態情報参照信号のリソース割り当てと重複してもよい。また、第２の信号のリソース割り当ては、セル固有参照信号のリソース割り当てと重複してもよい。また、第２の信号のリソース割り当ては、ポジショニング参照信号（P-RS: Positioning Reference Signal）のリソース割り当てと重複してもよい。また、第２の信号は、受信電力測定用の信号であってもよい。また、第２の信号は、チャネル評価用の信号であってもよい。つまり、第２の信号の設定に関する情報には、第２の信号を設定するための種々のパラメータがセットされてもよい。
【０１１９】
また、第２の信号の設定に関する情報が特定の情報と紐付けされた場合に、第２の信号に基づいて受信電力測定を行なってもよい。例えば、第２の信号の設定に関する情報が測定対象設定に関する情報に紐付けされた場合に、第２の信号に基づいて受信電力測定を行なってもよい。
【０１２０】
また、複数の第２の信号の設定に関する情報が端末にセットされる場合、その設定に関する情報のうち、仮想セルＩＤに関する情報がそれぞれ異なるとすれば、それぞれ独立に受信電力測定を行ない、その設定に関する情報のうち、仮想セルＩＤに関する情報が同じ値であれば、共通の信号として受信電力測定を行なってもよい。これは第ｎの信号（ｎは自然数）に適用されてもよい。
【０１２１】
例えば、第１の信号のリソース割り当てと第２の信号のリソース割り当てが重複する場合、第１の信号と第２の信号はそれぞれ独立な方式（方法）で各信号の信号系列が初期化されてもよい。また、第１の信号に対して割り当てられた無線リソースと第２の信号に対して割り当てられた無線リソースが重複する場合、第１の信号と第２の信号はそれぞれ独立な方式で各信号の信号系列が初期化されてもよい。また、第２の信号は、仮想セルＩＤで信号系列が初期化されてもよい。つまり、第１の信号の信号系列は、物理セルＩＤまたは仮想セルＩＤに基づいて生成されてもよい。第２の信号の信号系列は、仮想セルＩＤに基づいて生成されてもよい。また、第１の信号のリソース割り当てと第２の信号のリソース割り当てが重複する場合、各信号の信号系列に使用するセルＩＤ（物理セルＩＤ、仮想セルＩＤ）の値によって周波数シフトが適用されてもよい。また、第１の信号のリソース割り当てと第２の信号のリソース割り当てが重複する場合、異なるアンテナポートから各信号が送信されるようにしてもよい。つまり、アンテナポートの違いによって、第１の信号と第２の信号は独立に信号系列を生成できるようにしてもよい。
【０１２２】
ここで、図３を用いて説明すると、第２の実施形態においては、条件Ａには、端末に第２の信号の設定に関する情報がセットされていないことが含まれる。すなわち、条件Ａには、端末に第１の信号の設定に関する情報のみがセットされていることが含まれる。条件Ｂには、端末に第２の信号の設定に関する情報がセットされていることが含まれる。
【０１２３】
端末は、第２の信号の設定に関する情報をセットするか否かによって第２の信号の受信電力を測定するか否かを判定することができる。つまり、端末に対して第２の信号を測定するか否かを指示する情報を必要としないため、基地局は、その分の情報量を追加して端末に送信する必要が無くなる。
【０１２４】
（第３の実施形態）
次に、第３の実施形態について説明する。第３の実施形態では、基地局は、あるセル（またはセルに対応するコンポーネントキャリア）に対するキャリアタイプに関する情報を端末へ送信する。端末は、キャリアタイプに関する情報によって、第１のキャリアタイプが指示される場合には、そのセルに対する受信電力は第１の信号に基づいて測定し、第２のキャリアタイプが指示される場合には、そのセルに対する受信電力は第２の信号に基づいて測定する。この時、基地局は、端末に対して、第２の信号の設定に関する情報を送信する。また、基地局は、端末に対して、第２の信号に対する測定報告イベントに関する情報を送信する。端末は、あるセルに対して第２のキャリアタイプが設定されると、上位層によって第２の信号に対する測定報告イベントがセットされる。また、端末は、あるセルに対して第２のキャリアタイプが設定されると、受信電力（ＲＳＲＰ）を第２の信号に基づいて測定する。また、端末は、あるセルに対して第２のキャリアタイプが設定されると、第２の信号に対する測定報告イベントに基づいて測定報告を行なう。ここで、キャリアタイプは、セルタイプと呼称される場合もある。また、キャリアタイプは、セルに対応するコンポーネントキャリアのタイプ（種類、形式）を示したものであってもよい。また、第１のセルタイプは、プライマリーセルと定義されたものであってもよい。また、第１のセルタイプは、セカンダリーセルと定義されたものであってもよい。また、第１のセルタイプは、サービングセルと定義されたものであってもよい。また、第２のセルタイプは、第１のセルタイプとは異なる定義されてもよい。また、サービングセルに対して第１のセルタイプまたは第２のセルタイプかを設定できるようにしてもよい。また、プライマリーセルに対して第１のセルタイプまたは第２のセルタイプかを設定できるようにしてもよい。また、セカンダリーセルに対して第１のセルタイプまたは第２のセルタイプかを設定できるようにしてもよい。また、第２のセルタイプが設定されたセルにおいては、第１のセルタイプが設定されたセルで送信していた物理チャネルを送信しない場合もある。第２のセルタイプが設定されたセルでは、基地局は、セル固有参照信号を送信しなくてもよい。また、第２のセルタイプが設定されたセルでは、基地局は、プライマリー同期信号およびセカンダリー同期信号を送信しなくてもよい。つまり、基地局は、第１のセルタイプに設定したセルと第２のセルタイプに設定したセルにおいて、必ずしも同じ種類の信号や物理チャネルを送信しなくてもよい。また、第２のセルタイプが設定されたセルでは、基地局は、物理下りリンク制御チャネルを送信しなくてもよい。また、端末は、第２のセルタイプが設定されたセルにおいては、物理セルＩＤでスクランブリングされた信号や物理チャネルを検出しなくてもよい。第２のセルタイプが設定されたセルにおいて、第２の信号で時間／周波数同期を行なってもよい。第２のセルタイプが設定されたセルにおいて、第２の信号でセル検出（Cell detection）を行なってもよい。また、第２のセルタイプは特定の種類のセルに適用されてもよい。例えば、第２のセルタイプは、スモールセルやフェムトセル、ファント���セルに適用されてもよい。第２のセルタイプは、特定の端末に対してのみ適用されてもよい。すなわち、基地局による設定に基づいて、第１のセルタイプと第２のセルタイプが識別されてもよい。基地局は、第１のセルタイプに対応する設定として、上述したような物理チャネル／信号に対する設定を送信してもよい。また、基地局は、第２のセルタイプに対応する設定として、上述したような物理チャネル／信号に対する設定を送信しなくてもよい。すなわち、基地局は、第１のセルタイプに対応する設定を送信しないことによって、第２のセルタイプを指示しても良い。
【０１２５】
基地局は、第２のセルタイプに関する情報を報知してもよい。また、基地局は、第２のセルタイプに関する情報をシステム情報に含めてセル全体に送信してもよい。その第２のセルタイプに関する情報は、一部の端末だけが検出できるようにしてもよい。また、基地局は、第２のセルタイプに関する情報を上位層シグナリングによって端末個別に送信してもよい。また、第２のセルタイプに関する情報は、特定の情報と関連付けられてもよい。つまり、端末は、第２のセルタイプに関する情報を検出していなくても特定の情報さえ検出していれば、第２のセルタイプが設定されたと認識してもよい。
【０１２６】
第２のセルタイプが設定されたセルにおいて、第２の信号の設定に関する情報が設定されていない場合、端末は、第１の信号に基づいて受信電力を測定してもよい。また、第２の信号の設定に関する情報が設定された場合、端末は、第２の信号に基づいて受信電力を測定してもよい。この時、端末は、第１の信号に基づく受信電力を測定しなくてもよい。
【０１２７】
また、端末は、第２の信号から得られた受信電力に基づいてパスロスをセットしてもよい。さらに、端末は、そのパスロスから上りリンク信号の送信電力をセットしてもよい。
【０１２８】
また、端末は、第３の信号に関しては、セルタイプに因らず、そのセルに対する受信電力測定を行なってもよい。
【０１２９】
第２のセルタイプが設定されたセルに対してハンドオーバーが可能な通信システムにおいて、第２のセルタイプが設定されたセルに対してハンドオーバーすることが指示された場合、端末は、第２の信号に基づいて受信電力測定を行なってもよい。また、この通信システムでは、第２のセルタイプに設定されたセルにおいてハンドオーバー手順を行なってもよい。
【０１３０】
第２のセルタイプが設定されたセルに対してハンドオーバーが可能な通信システムにおいて、端末がそのセルで無線リンク異常（RLF: Radio Link Failure）を体験（検出、経験、認識）する場合、再確立（Reestablishment）手順を行なってもよい。また、第２のセルタイプに設定されたセルが単独（Stand alone）に機能する通信システムにおいて、端末がそのセルで無線リンク異常（RLF: Radio Link Failure）を体験（検出、経験、認識）する場合、再確立手順を行なってもよい。また、この時、端末は、第２のセルタイプに設定されていないセルに対して再確立手順を行なってもよい。また、第２のセルタイプに設定されたセルが単独に機能する通信システムにおいて、端末がそのセルで無線リンク異常（RLF: Radio Link Failure）を体験（検出、経験、認識）する場合、再確立（Reestablishment）手順を行なってもよい。なお、再確立は、ＲＲＣ接続再確立（RRC Connection Reestablishment）と呼称される場合もある。
【０１３１】
また、第２のセルタイプに設定されたセルが単独に機能する通信システムにおいて、システム情報に第２のセルタイプに関する情報が含まれて報知されている場合、端末は、第２の信号に基づいて同期検出を行なってもよい。また、この時、端末は、第２の信号に基づいて受信電力測定を行なってもよい。また、システム情報に第２のセルタイプに関する情報が含まれていない場合、端末は、プライマリー同期信号やセカンダリー同期信号に基づいて同期検出を行なってもよい。また、端末は、第１の信号に基づいて受信電力測定を行なってもよい。
【０１３２】
また、第２のセルタイプに設定されたセルが単独に機能する通信システムにおいて、システム情報に第２のセルタイプに関する情報が含まれて報知されている場合、端末は、そのセルに対してランダムアクセスによる初期接続を行なってもよい。つまり、端末は、第２のセルタイプが設定されたセルに対してランダムアクセスを行なってもよい。また、端末は、そのセルに対してランダムアクセス問題（Random Access Problem）を検出してもよい。端末は、ランダムアクセス問題を検出したら、上位層へ通知し、ランダムアクセス問題が通知された上位層では無線リンク異常が生じたと判断してもよい。その際、再確立手順がトリガーされてもよい。
【０１３３】
また、第２のセルタイプに設定されたセルが単独に機能する通信システムにおいて、端末は、物理上りリンク制御チャネルに相当する制御チャネルを基地局へ送信してもよい。ただし、その制御チャネルのリソース割り当ては、物理上りリンク制御チャネルと同じように配置されなくてもよい。
【０１３４】
また、第２のセルタイプに設定されたセルに対して再確立を行なうことが基地局から上位層を通じて指示された場合、端末は、第２の信号に基づいて受信電力測定を行なってもよい。また、第２のセルタイプに設定されたセルに対して再確立を行なうことが基地局から上位層を通じて指示されなかった場合、第１の信号に基づいて受信電力測定を行なってもよい。
【０１３５】
端末は、受信したＲＲＣメッセージの中に、第２の信号の設定に関する情報が含まれている場合には、第２の信号に基づいて受信電力測定を行なってもよい。そのＲＲＣメッセージは、ハンドオーバーを行なうために使用されるメッセージであってもよい。また、そのＲＲＣメッセージは、セルの追加／除去を指示するために使用されるメッセージであってもよい。また、そのＲＲＣメッセージは、測定を指示するメッセージであってもよい。これらのＲＲＣメッセージは、専用シグナリング（Dedicated signaling）で通知される。
【０１３６】
以下、基地局と端末の動作の一例を記載する。例えば、端末は、第１のセルタイプのセル（例えば、マクロセル）において、少なくとも第１の信号に基づいた受信電力の測定を行う。ここで、第１の信号は、物理セルＩＤ（例えば、第１のセルタイプのセルに対する物理セルＩＤの値）に基づいて、生成（または、マップ）される。また、第１の信号は、上位層の信号（例えば、dedicated signal）を使用して設定された仮想セルＩＤ（例えば、第１のセルタイプのセルに対する仮想セルＩＤの値）に基づいて、生成（または、マップ）されても良い。
【０１３７】
ここで、基地局は、第２の信号に関するパラメータを、上位層の信号（例えば、dedicated signal）に含めて、端末へ送信する。ここで、第２の信号に関するパラメータには、第２の信号の送信周期を示す情報、第２の信号の送信帯域幅を示す情報、第２の信号の検出を行うかどうかを示す情報、仮想セルＩＤ（例えば、第２のセルタイプのセル１（例えば、スモールセル１）に対する仮想セルＩＤの値）のいずれかが含まれてもよい。また、第２の信号に関するパラメータとして、第２の信号に基づいた受信電力の測定に関するパラメータが送信されても良い。ここで、第２の信号に基づいた受信電力の測定に関するパラメータには、第２の信号に基づいて、受信電力を測定するかどうかを指示するためのパラメータが含まれても良い。なお、第２の信号に関するパラメータは、第２の信号の設定に関する情報と呼称される場合もある。
【０１３８】
基地局から、第２の信号に関するパラメータを受信した端末は、第２の信号を検出する。ここで、端末は、第２の信号を検出したことを示す情報（第２の信号の検出に成功したことを示す情報）を、基地局へ送信しても良い。
【０１３９】
また、基地局は、セルの追加／除去に関するパラメータ（および／または、セルのＡｃｔiｖａｔｅｄ／Ｄｅａｃｔｉｖａｔｅｄに関するパラメータ）を、上位層の信号（例えば、dedicated signal）に含めて、端末へ送信してもよい。ここで、セルの追加／除去に関するパラメータ（および／または、セルのＡｃｔｉｖａｔｅｄ／Ｄｅａｃｔｉｖａｔｅｄに関するパラメータ）として、第２のセルタイプのセル（例えば、第２のセルタイプのセル１（スモールセル１））の追加／除去に関するパラメータ（および／または、セルのＡｃｔiｖａｔｅｄ／Ｄｅａｃｔｉｖａｔｅｄに関するパラメータ）が送信されても良い。この際、基地局は、第２の信号に関するパラメータを、追加されるセルに関連付けて設定してもよい。また、基地局は、第２の信号に基づいた受信電力の測定に関するパラメータを、追加されるセルに関連付けて設定してもよい。
【０１４０】
また、端末は、第２のセルタイプのセル１（例えば、スモールセル１）において、少なくとも第２の信号に基づいた受信電力の測定を行う。ここで、第２の信号は、上位層の信号（例えば、dedicated signal）を使用して設定された仮想セルＩＤ（例えば、第２のセルタイプのセル１（スモールセル１）に対する仮想セルＩＤ）に基づいて、生成（または、マップ）される。
【０１４１】
さらに、基地局は、上位層の信号（例えば、dedicated signal）を使用して、仮想セルＩＤ（例えば、第２のセルタイプのセル２（スモールセル２）に対する仮想セルＩＤの値）を端末へ設定する。ここで、基地局は、上位層の信号および／またはＰＤＣＣＨを使用して、仮想セルＩＤを設定しても良い。また、基地局は、仮想セルＩＤをハンドオーバーコマンドに関するメッセージに含めて送信してもよい。また、基地局は、第２の信号に基づいた受信電力の測定に関するパラメータを、上位層の信号（例えば、dedicated signal）またはハンドオーバーコマンドに関するメッセージに含めて送信しても良い。すなわち、第２のセルタイプのセル（例えば、スモールセル１）から第２のセルタイプのセル（例えば、スモールセル２）への切り替え（Reconfiguration）は、セルの追加／除去に関するパラメータを設定することなく、仮想セルＩＤの再設定によって行なわれる。なお、これらのメッセージは、ＲＲＣメッセージと呼称される場合もある。
【０１４２】
さらに、端末は、第２のセルタイプのセル２（例えば、スモールセル２）において、少なくとも第２の信号に基づいた受信電力の測定を行う。ここで、第２の信号は、上位層の信号（例えば、dedicated signal）またはハンドオーバーコマンドに関するメッセージを使用して設定された仮想セルＩＤ（例えば、第２のセルタイプのセル２（スモールセル２）に対する仮想セルＩＤ）に基づいて、生成（または、マップ）される。
【０１４３】
上述した基地局と端末の動作は、あくまで一例である。すなわち、本実施形態は、上述したような動作に制限されるものではなく、同様の動作は全て本実施形態に含まれる。
【０１４４】
共通の測定ＩＤ（または測定対象ＩＤ）に仮想セルＩＤが同じ値に設定されたＣＳＩ−ＲＳ設定に関する情報がセットされた場合、それら複数のＣＳＩ−ＲＳを用いて受信電力測定を行なってもよい。
【０１４５】
複数のＣＳＩ−ＲＳ設定に関する情報にセットされている仮想セルＩＤの値がそれぞれ同じ値に設定されている場合、それら複数のＣＳＩ−ＲＳを用いて受信電力測定を行なってもよい。該仮想セルＩＤがそれぞれ異なる値が設定されている場合、それら複数のＣＳＩ−ＲＳは独立に受信電力測定を行なってもよい。
【０１４６】
端末は、第２のセルタイプに設定されたセルがＤｅａｃｔｉｖａｔｅｄである場合、第１の測定周期に基づいて第２の信号に基づく受信電力測定を行なう。また、端末は、第２のセルタイプに設定されたセルがＡｃｔｉｖａｔｅｄである場合、第２の測定周期に基づいて第２の信号に基づく受信電力測定を行なう。例えば、Ｄｅａｃｔｉｖａｔｅｄとは、基地局と端末間でデータ通信を行なっていないことを含む。
【０１４７】
図４に示すように、端末は、第１の測定周期の基づく受信電力測定サブフレームをセットし、第２の測定周期の基づく受信電力測定サブフレームをセットすることができる。これらの設定情報は、基地局から上位層シグナリングによって通知される。つまり、端末は、第２のセルタイプに設定されたセルがＤｅａｃｔｉｖａｔｅｄであるかＡｃｔｉｖａｔｅｄであるかによって、測定周期を切り替えることができ、受信電力測定を行なうタイミングを切り替えることができる。端末は、データ通信を行なっていないセルに対しては疎な時間間隔で受信電力測定に必要な消費電力を低減しつつ、定期的に基地局へ測定結果を報告することでデータ通信を行なう場合に適切なスケジューリングを行なうことができる。
【０１４８】
また、端末は、第１の測定周期に基づいて第２の信号に基づく受信電力測定を行なっている場合、第１の測定周期で構成された所定の測定時間を経過すると、上位層へ第２の信号に基づく受信電力の測定結果を報告し、その報告情報を基地局へ送信する。基地局は、Ｄｅａｃｔｉｖａｔｅｄなセル（つまり、データ通信を行なっていないセル）に対して事前に測定結果に関する情報を各端末から報告させることによって、ＤｅａｃｔｉｖａｔｅｄなセルをＡｃｔｉｖａｔｅｄに切り替えた時に適切なスケジューリングを行なうことができる。
【０１４９】
また、端末は、第２の測定周期に基づいて第２の信号に基づく受信電力測定を行なっている場合、測定報告に関する情報に含まれる所定の条件（測定報告イベント）を満たすと、第２の信号に基づく受信電力の測定結果を上位層へ報告し、基地局へその報告情報を送信する。また、端末は、この時、周期的に、第２の信号に基づく受信電力の測定結果を上位層へ報告し、基地局へその報告情報を送信してもよい。
【０１５０】
ここで、図３を用いて説明すると、第３の実施形態においては、条件Ａには、あるセルに対して所定のセルタイプが設定されていないことが含まれる。また、条件Ａには、あるセルに対して第１のセルタイプが設定されることが含まれる。また、条件Ａには、あるセルに対して、（第１のセルタイプに対応する）所定の設定が送信されることが含まれる。条件Ｂには、あるセルに対して所定のセルタイプが設定されていることが含まれる。また、条件Ｂには、あるセルに対して第２のセルタイプが設定されていることが含まれる。また、条件Ｂには、あるセルに対して、（第２のセルタイプに対応する）所定の設定が送信されることが含まれる。また、条件Ｂには、あるセルに対して、（第１のセルタイプに対応する）所定の設定が送信されないことが含まれる。
【０１５１】
特定の情報が設定されることによって、特定の物理チャネルや物理信号の受信処理を行なわないことで受信処理に必要な消費電力を抑制することが可能である。
【０１５２】
なお、上記各実施形態では、端末は、第２の信号に基づく受信電力の測定結果を基地局へ報告してもよい。端末は、その報告を周期的に行なってもよい。また、端末は、その報告をある条件を満たした場合に行なってもよい。
【０１５３】
上記各実施形態では、端末は、第２の信号に基づく受信電力を測定する場合、その受信電力に基づいて上りリンク信号の送信電力制御を行なってもよい。また、端末は、下りリンクパスロスをその受信電力に基づいて決定してもよい。
【０１５４】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０１５５】
なお、上記各実施形態では、上りリンク送信電力制御とは、上りリンク物理チャネル（ＰＵＳＣＨ、ＰＵＣＣＨ、ＰＲＡＣＨ、ＳＲＳ）の送信電力制御のことであり、送信電力制御とは、種々の上りリンク物理チャネルの送信電力のセッティングに使用する種々のパラメータの切り替えまたは（再）設定に関する情報を含んでいる。
【０１５６】
なお、上記各実施形態では、基地局は、１つの端末に対して複数の仮想セルＩＤを設定できるようにしてもよい。例えば、基地局および少なくとも１つの基地局を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号の設定に関する情報毎に仮想セルＩＤが設定できるようにしてもよい。また、複数の物理チャネル／物理信号で仮想セルＩＤは共有されてもよい。
【０１５７】
本発明に関わる基地局１および端末２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５８】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１および端末２の一部、または全部を典型的には集積回路であるＬＳＩとして実現してもよい。基地局１および端末２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０１５９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６０】
本発明は、無線基地局装置や無線端末装置や無線通信システムや無線通信方法に用いて好適である。
【符号の説明】
【０１６１】
１  基地局
２  端末
１０１  上位層処理部
１０３  制御部
１０５  受信部
１０７  送信部
１０９  チャネル測定部
１１１  送受信アンテナ
１０１１  無線リソース制御部
１０１３  測定設定部
１０１５  送信電力設定部
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０１１  無線リソース制御部
２０１３  測定制御部
２０１５  送信電力制御部
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
2014033287.tif 000003
【図２】
2014033287.tif 000004
【図３】
2014033287.tif 000005
【図４】
2014033287.tif 000006